(57)【要約】マルチメディア装置インタフェース（１８）はマルチメディア装置（１６）を携帯電子機器（１０）に結合する。マルチメディアおよび他の情報は、マルチメディア装置（１６）から携帯電子機器（１０）にロードされるか、または携帯電子機器（１０）からマルチメディア装置（１６）に格納され得る。マルチメディア装置インタフェース（１８）は、マルチメディア装置（１６）が先に発行されたコマンドを終了する間に、携帯電子機器（１０）からマルチメディア装置（１６）へ送られたコマンドを待ち行列に入れる。
2006512678.tif 000002
【特許請求の範囲】
【請求項１】
マルチメディア装置に携帯電子機器を結合するためのマルチメディア装置インタフェースであって、
前記携帯電子機器からコマンドを受け取り、前記携帯電子機器と結合されて動作するマルチメディア装置に該コマンドを転送するコマンドプロセッサ；
前記コマンドプロセッサに結合されて動作するコマンドキューイングバッファであって、前記携帯電子機器から送られた前記マルチメディア装置に対するコマンドを格納する前記コマンドキューイングバッファ；および
前記コマンドプロセッサと前記コマンドキューイングバッファに結合されて動作するマルチメディアインタフェースコントローラであって、前記コマンドキューイングバッファに格納される前記携帯電子機器からのコマンドを識別するマルチメディアインタフェースコントローラ；
を備えたマルチメディア装置インタフェース。
【請求項２】
前記携帯電子機器が、セルラ方式携帯電話送受信機、ＭＰ３プレーヤ、ＰＤＡ、双方向ラジオ、双方向ページャ、一方向ページャ、ディジタルカメラ、およびインターネットアプライアンスの内の少なくとも１つである、請求項１に記載のマルチメディア装置インタフェース。
【請求項３】
前記マルチメディアインタフェースコントローラが、コマンドを前記マルチメディア装置へ直接送ることができると共に前記コマンドキューイングバッファの中で待ち行列に入っていたコマンドを前記マルチメディア装置へ送ることができるプロセッサを有する、請求項１に記載のマルチメディア装置インタフェース。
【請求項４】
前記コマンドプロセッサが、
通信装置からのコマンドの妥当性をテストすること；
通信装置からのコマンドに周期冗長検査を加えること；
マルチメディア装置からの応答の中のエラー訂正符号を発見すること；
マルチメディア装置からの応答を受け取ること；
マルチメディア装置からの応答を有効にすること；
マルチメディア装置から応答を受け取ったことを携帯通信装置に通知すること；
を含む機能の内の少なくとも１つを行なう、請求項１に記載のマルチメディア装置インタフェース。
【請求項５】
前記コマンドキューイングバッファがシフト・レジスタである、請求項１に記載のマルチメディア装置インタフェース。
【請求項６】
前記マルチメディアインタフェースコントローラが、前記携帯通信装置によってマルチメディア装置に送られたコマンドの実行を追跡するコントローラである、請求項１に記載のマルチメディア装置インタフェース。
【請求項７】
前記携帯通信装置内の第２のコントローラにマルチメディア装置を結合させて動作させるデータ処理コントローラをさらに備えた、請求項１に記載のマルチメディア装置インタフェース。
【請求項８】
前記携帯通信装置内の第２のコントローラにマルチメディア装置を結合させて動作させるデータ処理コントローラであって、シリアルデータをパラレルデータに変換するようにプログラムされているデータ処理コントローラをさらに備えた、請求項１に記載のマルチメディア装置インタフェース。
【請求項９】
前記携帯通信装置内の第２のコントローラにマルチメディア装置を結合させて動作させるデータ処理コントローラであって、前記携帯通信装置と前記データ処理コントローラに結合されたマルチメディア装置と間のデータ転送をコントロールするデータ処理コントローラをさらに備えた、請求項１に記載のマルチメディア装置インタフェース。
【請求項１０】
前記携帯電子機器と前記マルチメディア装置の間で、電気信号、赤外線信号、光信号、音響信号、および高周波信号の内の少なくとも１つによって信号が交換される、請求項１に記載の携帯電子機器。
【請求項１１】
携帯電子機器であって、
前記携帯通信装置に結合されたマルチメディア装置と結合されて動作し、該マルチメディア装置にコマンドを送ることができ、該マルチメディア装置から応答を受け取ることができる、第１のプロセッサ；
前記第１のプロセッサからのコマンドに応答し、前記マルチメディア装置から情報を受け取ることができる、第２のプロセッサ；
前記第１のプロセッサと前記第２のプロセッサの両方に結合されて動作し、前記マルチメディア装置と前記第２のプロセッサが前記第１のプロセッサからの第１のコマンドの実行を終了する間に、前記第１のプロセッサから前記マルチメディア装置への第２のコマンドの送信を待ち行列に入れることができる、マルチメディア装置インタフェース；および
前記第１のプロセッサと前記第２のプロセッサの少なくとも一方に結合されて動作し、前記携帯通信装置に双方向通信能力を提供することができる無線機；
を備えた携帯電子機器。
【請求項１２】
前記無線機がセルラ方式携帯電話送受信機を含む、請求項１１に記載の携帯電子機器。
【請求項１３】
前記第１のプロセッサと前記第２のプロセッサの少なくとも一方は、デジタル信号プロセッサ、マイクロプロセッサ、およびマイクロコントローラの内の少なくとも１つである、請求項１１に記載の携帯電子機器。
【請求項１４】
前記携帯通信装置と前記マルチメディア装置の間で、電気信号、赤外線信号、光信号、音響信号、および高周波信号の内の少なくとも１つによって信号が交換される、請求項１１に記載の携帯電子機器。
【請求項１５】
携帯電子機器であって、
前記マルチメディア対応装置に結合されたマルチメディア装置と結合されて動作し、該マルチメディア装置にコマンドを送ることができ、該マルチメディア装置から応答を受け取ることができる、第１のプロセッサ；
前記第１のプロセッサからのコマンドに応答し、前記マルチメディア装置から情報を受け取ることができる、第２のプロセッサ；
前記第１のプロセッサと前記第２のプロセッサの両方に結合されて動作し、前記マルチメディア装置と前記第２のプロセッサが前記第１のプロセッサからの第１のコマンドの実行を終了する間に、前記第１のプロセッサから前記マルチメディア装置への第２のコマンドの送信を待ち行列に入れることができる、マルチメディア装置インタフェース；および
前記第１のプロセッサと前記第２のプロセッサの少なくとも一方に結合されて動作する電子機器；
を備えた携帯電子機器。
【請求項１６】
前記携帯電子機器が、
ＰＤＡ、
インターネットアプライアンス、
ＣＤプレーヤ、
ＭＰ３プレーヤ、
ＤＶＤプレーヤ、
ディジタルカメラ、および
セルラ方式携帯電話、
の内の少なくとも１つを含む、請求項１５に記載の携帯電子機器。
【請求項１７】
マルチメディア記憶装置に携帯電子機器を結合する方法であって、
前記携帯電子機器からマルチメディア記憶装置に対するコマンドを受け取る工程；
前記マルチメディア記憶装置が前記コマンドに応答することができない間にコマンドを記憶装置内の待ち行列に入れる工程；
前記コマンドに応答することが必要とされた後で、前記マルチメディア記憶装置にコマンドを送る工程；
から成る方法。
【請求項１８】
前記マルチメディア記憶装置によるコマンドの実行の終了を検知する工程をさらに含む、請求項１７に記載の方法。
【請求項１９】
前記マルチメディア記憶装置と前記携帯電子機器の間で送信されるデータの完全性をモニタする工程；
前記マルチメディア記憶装置から受け取ったシリアルデータをパラレルデータに変換する工程；および
前記携帯電子機器からのパラレルデータをシリアルデータに変換する工程；
の内の少なくとも１つをさらに含む、請求項１７に記載の方法。
【請求項２０】
前記携帯通信装置と前記マルチメディア装置の間で、電気信号、赤外線信号、光信号、音響信号、および高周波信号の内の少なくとも１つを使用して信号を交換する工程をさらに含む、請求項１７に記載の方法。
【請求項２１】
前記マルチメディア記憶装置が前記コマンドに応答することができない間にコマンドを待ち行列に入れる前記工程が、コマンドをシフト・レジスタに格納する工程から成る、請求項１７に記載の方法。
【発明の詳細な説明】
【技術分野】
【０００１】
本発明はマルチメディア記憶装置に対するコマンドキューイングに関する。
【背景技術】
【０００２】
マルチメディアを提示する能力を有するセルラ方式携帯電話やＰＤＡを始めとする携帯電子機器が、現在市販されている。マルチメディアの例には、グラフィックスまたはピクチャ、ビデオ、ＭＰ３音声ファイル、およびそれらの組み合わせが含まれる。
【０００３】
マルチメディアカード協会（Multi-Media Card Association）およびＳＤ協会は、セルラ方式携帯電話のような携帯通信機器に使用されるマルチメディア装置のための電気的および物理的な規格を指定する業界基準を促進している。セルラ方式携帯電話に使用された場合、いわゆるマルチメディア装置は、呼出し音、ゲーム、ピクチャ、ビデオ、音声ファイルおよびそれらと同種のものを提供することができる。しかしながら、マルチメディアカードを始めとするマルチメディア装置（以下、マルチメディア装置と称する）に関する問題点は、マルチメディア装置へのコマンドが実行される速度と、マルチメディア装置に情報が送受される速度のために、マルチメディア装置が結合された電子機器の速度が有効に低下することにある。
【０００４】
例として、先行技術では、マルチメディア装置インタフェースは、プロセッサまたは携帯ラジオや携帯電話のような携帯電子機器用の他のコントローラを、マルチメディア装置に結合する。携帯電子機器がマルチメディア装置にコマンドを送る場合、コマンドはマルチメディア装置インタフェースを通過し、マルチメディア装置インタフェースはマルチメディア装置にデータ要求を送る。携帯装置用のコントローラがデータ転送を要求する場合、コントローラは読み取られるべきデータ量も通常は指定する。マルチメディア装置はデータ要求に対する応答を送り、データを送り始める。携帯電子機器用のコントローラによって指定されたデータ量は、マルチメディア装置によって送られる。マルチメディア装置にいつでもコマンドを送ることができる能力は、マルチメディア装置が結合された携帯通信装置のパフォーマンスを改善するだろう。
【発明を実施するための最良の形態】
【０００５】
図１は、セルラ方式携帯電話として具現化された携帯電子機器１０と、マルチメディア記憶装置１６とを示す。マルチメディア記憶装置１６は好ましくは回路カード１２−２として具現化される。図１に示されるように、カード１２−２は携帯電子機器１０の接合ソケット１２−１に挿入することができ、接合ソケット１２−１でカード１２−２の電気接触が、携帯電子機器１０の相補的な電気接触（明瞭さのため図１には示さない）と電気接触を行なう。
【０００６】
クレーム解釈のため、用語「携帯電子機器」は、変調方式（アナログ、ＣＤＭＡ、ＴＤＭＡ、ＧＳＭ等）の種類やそのような機器の動作周波数スペクトル（８００ＭＨｚ、９００ＭＨｚ、およびそれより高い周波数）に関わらず、光信号や赤外線信号だけでなく音響信号も含めて、一方向または双方向の通信能力を提供する無線送信機、無線受信機および送受信機をすべて包含するものと解釈すべきである。無線機の例には、双方向ラジオ、ページャおよびＧＰＳ装置が含まれる。用語「「携帯電子機器」はさらに、携帯情報端末（ＰＤＡ）、ＭＰ３プレーヤ、ディジタルカメラ、およびインターネットアクセス（ウェブブランジング、電子メールまたは他の形式のパケットデータ）が送受される任意の装置を含むことが可能な「インターネットアプライアンス」も包含するものと解釈すべきである。好ましい実施態様では、携帯電子機器１０は、双方向通信を提供可能な無線回路を含む
と考えられるセルラ方式携帯電話のような無線機を含む。
【０００７】
セルラ方式携帯電話の実施態様に関して、用語「携帯電子機器」は、そのような機器の動作周波数スペクトルやそのような機器が使用する変調の種類に関わらず、携帯および移動双方向セルラ方式装置で使用される無線通信回路、すなわち送信機および／または受信機および／または送受信機を包含する。
【０００８】
図２は、携帯電子機器１０の一部としての、マルチメディア装置インタフェース１８（すなわちマルチメディア装置のためのインタフェース）の好ましい実施態様を示す。図２では、携帯電子機器１０はセルラ方式携帯電話であり、無線機２６を含んでいる。セルラ方式携帯電話の場合、無線機２６は双方向通信を提供する無線送信機／受信機または送受信機を含むだろう。
【０００９】
マルチメディア記憶装置１６が携帯装置１０にデータを送っている間、携帯通信装置１０がマルチメディア記憶装置１６にコマンドを有効に送ることができるように、マルチメディア装置インタフェース１８は、携帯電子機器１０をマルチメディア記憶装置１６（本明細書では「マルチメディア装置」とも称される）に結合して動作させる。
【００１０】
好ましい実施態様では、携帯電子機器１０の第１のプロセッサ３０（以下、「ＭＣＵ」）は、ファイルを要求しているマルチメディア装置１６へ、コマンドを送る。ＭＣＵ  ３０は、マルチメディア装置１６から要求されているファイルのサイズを、第２のプロセッサ２８に通知する。その後、第２のプロセッサ２８は、マルチメディア装置１６から受け取ったデータをモニタする。
【００１１】
情報を有する信号、すなわちデータ信号は、マルチメディアカード協会の規格に従って、また、ＳＤカード協会の規格にも従って、マルチメディア記憶装置１６と携帯電子機器１０との間で交換され得る（すなわち送受され得る）。本発明の好ましい実施態様は、電気信号によってマルチメディア記憶装置１６と携帯電子機器１０との間で情報を転送するが、情報を転送する代わりの等価な方法には、赤外線信号、音響信号、光信号、または高周波信号の使用が含まれる。赤外線データ伝送技術および回路、音響データ伝送技術および回路、ならびにＲＦデータ伝送技術および回路は当業者に周知である。
【００１２】
例として、マルチメディア記憶装置１６は、携帯電子機器１０により呼出し音として使用される音声ファイルを格納し得る。マルチメディア記憶装置１６はまた、携帯電子機器１０の表示画面で再生するためのピクチャ、ビデオストリーム、またはＭＰ３音声ファイル、携帯電子機器１０に具備されたスピーカまたは他の入出力（Ｉ／Ｏ）装置２４からの出力も格納し得る。携帯電子機器１０のより一般的な実施態様は、図５に特定された装置を含む。図５の装置は、ＣＤプレーヤ、ＭＰ３プレーヤ、ＤＶＤプレーヤ、インターネットアプライアンスまたはＰＤＡ（すべて参照数字１００で示す）のような装置を含み、そのような装置は本明細書で説明するマルチメディア装置インタフェース１８を具備している。
【００１３】
マルチメディア記憶装置１６からのファイル転送が始まると、ＭＣＵ  ３０からマルチメディア記憶装置１６に第２のコマンドが発行され得る。この時、マルチメディア装置インタフェース１８は第２のコマンドを受け取り、それをマルチメディア記憶装置１６が第２のコマンドを実行できる時間までコマンドキューイングバッファ４２（「バッファ４２」としても知られる）に格納する。      
【００１４】
マルチメディア装置インタフェース１８は、マルチメディア記憶装置１６と携帯電子機器１０との間のデータ転送に関連する処理オーバヘッドを減少させる。マルチメディア装
置インタフェース１８の主な機能は、マルチメディア記憶装置１６がコマンドを処理することができない場合でも、マルチメディア記憶装置１６をコントロールしている携帯電子機器１０中のプロセッサがマルチメディア記憶装置１６へコマンドを発行できるようにすることである。図２に示した実施態様では、マルチメディア装置インタフェース１８により、ＭＣＵ  ３０は、マルチメディア記憶装置１６へ第１のコマンドを発行することが可能となる。
【００１５】
マルチメディア記憶装置１６に対するコマンドの例は、マルチメディア記憶装置１６から携帯電子機器１０までのファイル転送を要求することである。マルチメディア記憶装置１６が第１のコマンドを実行する間、マルチメディア装置インタフェース１８により、ＭＣＵ  ３０は、マルチメディア記憶装置１６に別のコマンドを発行することができる。マルチメディア装置インタフェース１８は、マルチメディア記憶装置１６が第２のコマンドを実行することができるまで第２のコマンドを待ち行列に入れる、コマンドキューイングバッファ４２を含む。好ましい実施態様では、待ち行列に入れられたすなわち「第２」のコマンドは、先に発行されたすなわち「第１の」コマンドが終了した後に、マルチメディア記憶装置１６によって実行される。別のコマンドを発行する前に、マルチメディア記憶装置１６に送られた１つのコマンドが実行されるまで、ＭＣＵ  ３０が待つ必要はない。
【００１６】
好ましい実施態様では、マルチメディア装置インタフェース１８はコマンドプロセッサ３２を含んでいる。コマンドプロセッサ３２は、携帯電子機器１０のプロセッサ２８またはプロセッサ３０の内の少なくとも１つから情報３４（恐らくデータも含むコマンド）を受け取る。コマンドプロセッサ３２は、プロセッサＭＣＵ  ３０からコマンドを受け取った後、それらのコマンドをマルチメディアインタフェースコントローラ３６に転送する。マルチメディアインタフェースコントローラ３６は、マイクロコントローラかマイクロプロセッサのようなプロセッサとして、またはＤＳＰもしくは組み合わせ論理または順序論理として、具現化され得る。コマンドプロセッサ３２は、組み合せ論理、ゲートアレイ、または特定用途向け集積回路として好ましくは具現化される。
【００１７】
好ましい実施態様では、ＭＣＵは、コマンドプロセッサ３２中にレジスタを形成することにより、コマンドを形成する。コマンドプロセッサ３２は、例えば周期冗長検査すなわちＣＲＣにより、ＭＣＵ  ３０からマルチメディア記憶装置１６に発行されたコマンドに加えられたエラー訂正を提供する。
【００１８】
マルチメディア記憶装置１６に対するコマンドは、コマンドプロセッサ３２により渡される。マルチメディアインタフェースコントローラ３６は、コマンドをいつマルチメディア装置１６へ送るかを制御する。マルチメディア記憶装置１６がコマンドを実行することができる場合、マルチメディアインタフェースコントローラ３６はコマンドをマルチメディア記憶装置１６に直接転送することができる。インタフェースコントローラ３６はさらに、マルチメディア記憶装置１６に対するコマンドを、コマンドキューイングバッファ４２の待ち行列にも入れる。
【００１９】
コマンドプロセッサ３２は、マルチメディア記憶装置１６から応答を受け取り、通常は応答に付いている周期冗長検査かＣＲＣのチェックにより、それらの応答を有効にする。コマンドプロセッサ３２は携帯通信装置のコントローラに、マルチメディア記憶装置１６から応答が受け取られ、マルチメディア記憶装置１６は別のコマンドを実行する準備ができていることを通知する。
【００２０】
マルチメディアインタフェースコントローラ３６の別の機能は、マルチメディア記憶装置１６へ送られたコマンドの実行をモニタすることである。マルチメディアインタフェースコントローラ３６は、マルチメディア記憶装置１６に送られたコマンド４０に応答して
マルチメディア記憶装置１６から受け取られる応答３８をテストすることにより、コマンドのステータスまたは実行をモニタする。
【００２１】
コマンドキューイングバッファ４２は、コマンドプロセッサ３２にもマルチメディアインタフェースコントローラ３６にも結合されているが、マルチメディア装置に対するコマンドを、それが実行されるまで格納する。好ましい実施態様では、コマンドキューイングバッファ４２は４８ビットのシフト・レジスタにより具現化される。コマンドは、パラレルにバッファ４２に書き込まれ得るが、シリアル方式でシフトアウトされ得る。代替実施態様は半導体ランダムアクセスメモリ（ＲＡＭ）装置の使用を含むが、そのような実施態様では、シリアルに情報を送るには何らかのパラレル−シリアル変換が要求されるだろう。
【００２２】
上述したように、コマンドキューイングバッファ４２は、マルチメディア記憶装置１６がコマンドを実行できるような時間まで、ＭＣＵ  ３０からのコマンドを格納する。マルチメディア記憶装置１６がいつ別のコマンドを実行することができるかの判定は、先に発行されたコマンドが終了したことをＭＣＵ  ３０に通知する第２のプロセッサ２８で判定される。
【００２３】
例として、コントローラ／ＭＣＵ  ３０はマルチメディア記憶装置１６からファイルを要求してもよい。そのために、コントローラ／ＭＣＵ  ３０は、コマンドプロセッサ３２によって受け取られるコマンドを発行する。コマンドプロセッサは、現在のまたは最も最近の応答３８をモニタすることにより、マルチメディア記憶装置１６のステータスを決定することができる。例えば、マルチメディア記憶装置１６がビジーでないことをマルチメディア記憶装置の応答３８が示す場合、ファイルを送るコマンドがキューイングバッファ４２へ送られるだろう。マルチメディアインタフェースコントローラ３６は、キューイングバッファ４２からコマンドを選択し、コマンドキューイングバッファ４２にマルチメディア記憶装置１６へのコマンド４０を書かせることにより、コマンド４０をゲート制御または転送してファイルをマルチメディア記憶装置１６から転送することができる。
【００２４】
マルチメディア記憶装置１６へ送られたコマンドの実行を追跡またはモニタすることにより、コントローラ３６は、携帯電子機器１０のコントローラ／ＭＣＵ  ３０および第２のプロセッサ（例えばＤＳＰ）２８の負担を本質的に軽減し、他のタスクを行なうためにそれらを解放する。コマンドをマルチメディア装置１６へ発行する前にデータ転送が終了するまで、コントローラ／ＭＣＵ  ３０は待つ必要がない。
【００２５】
マルチメディア装置インタフェース１８内には、データ処理コントローラ４６が含まれている。データ処理コントローラ１６は記憶装置１６からデータ４４を受け取り、それを適切なサイズのパラレルフォーマットに変換する。データが携帯電子機器１０からマルチメディア記憶装置１６へ送られなければならない例では、データ処理コントローラ４６は、パラレル−シリアル変換を行なうことができる。
【００２６】
データ処理コントローラ４６は、一定量のランダムアクセスメモリ（すなわちＲＡＭ）を含み、そこには、マルチメディア記憶装置１６からのデータを無線機２６または携帯電子機器１０内の他の箇所に転送する第２のプロセッサ／ＤＳＰ  ２８の有効性を保留にしたままで、該データを格納することができる。
【００２７】
図３は携帯電子機器をマルチメディア記憶装置１６に結合する方法を示す。
ステップ３０２で、マルチメディア装置インタフェース１８はマルチメディア記憶装置１６に対するコマンドを受け取る。ステップ３０４で、マルチメディア記憶装置１６が先に発行されたコマンドの実行を終了するまで、マルチメディア記憶装置に対するコマンド
はバッファ内の待ち行列に入れられる。マルチメディア記憶装置に対するコマンドを待ち行列に入れることによって、携帯電子機器は、マルチメディア記憶装置が利用可能になるまで待つ代わりに、他のタスクを行なうことができる。
【００２８】
ステップ３０６で、待ち行列に入れられたコマンドを送るための条件がテストされる。マルチメディア記憶装置１６が、自身に対して発行されたコマンドを実行することができる場合、マルチメディア記憶装置１６からのまたはマルチメディア記憶装置１６へのデータをモニタすることにより決定されるように、待ち行列に入れられたコマンドは、ステップ３０８でマルチメディア記憶装置１６へ送られる。
【００２９】
図４のステップ３１０で、マルチメディア記憶装置１６によるコマンドの実行は、マルチメディア装置インタフェース１８がマルチメディア装置１６からマルチメディア装置インタフェース１８が受け取るデータをモニタまたはテストすることにより、モニタまたはテストされる。マルチメディア記憶装置１６から受け取られた応答３８（その停止として具現化される場合がある）は、先に発行されたコマンドがいつ終了するかを示す。ステップ３０８で、マルチメディア記憶装置１６からのデータのテストの一部は、マルチメディア記憶装置１６からのデータが完全（intact）に受け取られたことを確かめる、完全性（integrity)のテストである。これは、いくつかの実施態様では、データ・ストリームにチェックサムが加えられたり、データ・バイトにパリティビットまたは周期冗長検査が加えられたりすることにより行われる。
【００３０】
データはシリアル方式でマルチメディア装置に送受される。携帯電子機器１０は、他方、パラレルデータを使用する。従って、ステップ３１２で、マルチメディア記憶装置１６から受け取られるデータはシリアル方式に変換される。反対に、ステップ３１４で、携帯電子機器１０からマルチメディア記憶装置１６に向けられるデータはパラレル方式から変換される。
【００３１】
当業者には、携帯電話、ページャ、またはＰＤＡを始めとする携帯電子機器１０をインテリジェント・コントローラまたはインタフェースを介してマルチメディア記憶装置に結合することにより、携帯通信装置の処理能力を解放することができ、コマンドのステータスおよび応答に対するマルチメディア記憶装置の有効性をモニタするマルチメディア装置インタフェースにより他のタスクを行なうことができることが理解されるだろう。
【００３２】
本発明の原理を特定の装置に関して上述したが、上記の説明はあくまで例示のためになされているのであって、本発明の範囲の限定としてなされているのではないことは明確に理解されるはずである。
【図面の簡単な説明】
【００３３】
【図１】本発明の１実施態様による携帯電子機器およびマルチメディア記憶装置。
【図２】本発明の１実施態様による携帯通信装置の一部としてのマルチメディア装置インタフェースと、マルチメディア装置インタフェースに結合されたマルチメディア記憶装置との一例。
【図３】本発明の１実施態様による、パーソナル通信装置にマルチメディア記憶装置を結合する方法のブロック図の一例。
【図４】本発明の１実施態様による、パーソナル通信装置にマルチメディア記憶装置を結合する方法のブロック図の一例の続き。
【図５】マルチメディア装置インタフェースと電子機器の１実施態様。
【図６】 
【図７】 
【図１】
2006512678.tif 000003
【図２】
2006512678.tif 000004
【図３】
2006512678.tif 000005
【図４】
2006512678.tif 000006
【図５】
2006512678.tif 000007
【図６】
2006512678.tif 000008
【図７】
2006512678.tif 000009
【国際調査報告】
2006512678.tif 000010